(57)【要約】【課題】排水性と保護機能とを兼ね備えた音響用開口部を提供する。【解決手段】音響用に開口された開口穴１２に、開口穴１２から内部に水等が浸入することを防止するために防水膜１４がており、開口穴１２と所定間隔をあけて対向する位置にカバー部１６が配置されており、カバー部１６の上下又は左右に対向する２箇所に開口穴１２と連通する開口部１８及び２０がそれぞれ形成されている。【選択図】        図１
2004312156.tif 000002
【特許請求の範囲】
【請求項１】
音響用に開口されたエンクロージャの開口穴に、該開口穴から内部に水等が浸入することを防止するために防水膜が貼られた音響用開口部の排水構造において、
前記開口穴と所定間隔をあけて対向する位置にカバー部が配設されており、該カバー部の上下又は左右に対向する２箇所に開口穴と連通する開口部がそれぞれ形成されていることを特徴とする音響用開口部の排水構造。
【請求項２】
前記カバー部は、前記開口穴から所定間隔をあけて前記エンクロージャの表面よりも若干外方に突出した位置に開口穴とほぼ同じ大きさを有して配設されていることを特徴とする請求項１記載の音響用開口部の排水構造。
【請求項３】
前記カバー部の一端側に位置するエンクロージャの端部近傍を前記カバー部の表面よりも高くなるように隆起させ、他端側の前記エンクロージャの端部近傍を前記カバー部の表面とほぼ同じ高さとしたことを特徴とする請求項１記載の音響用開口部の排水構造。
【請求項４】
前記カバー部表面と、前記カバー部の一端側に位置するエンクロージャの表面を前記機器の内方へほぼ同一角度に傾斜させていることを特徴とする請求項１記載の音響用開口部の排水構造。
【発明の詳細な説明】
【０００１】
【発明の属する技術分野】
本発明は、例えば携帯端末機等における音響用に開口された開口穴に、該開口穴から内部に水等が浸入することを防止するために、防水膜が貼られた音響用開口部の排水構造に関し、特に、例えば水没、降雨などにより携帯端末機の音響用開口部に水が付着すると、水の表面張力により水膜や水の滞留が生じて音圧の伝導が阻害されるが、これを避けるために、水膜や水の滞留の発生を軽減することができるとともに、水膜や水の滞留が発生しても容易に除去することができる音響用開口部の排水構造に関するものである。
【０００２】
【従来の技術】
今日、携帯端末機の多くが防水機能を備え、降雨などの環境下でも使用可能とされている。しかるに携帯端末機のように音響部品（スピーカー、マイクロフォン等）を有する機器においては、その筐体適所に音響用の開口部が設けられている。この開口部は、筐体に同一方向の穴が一箇所又は複数箇所形成されて構成されており、開口部には、ここから筐体内部に水が浸入することを防止するために防水膜が貼られているのが一般的である。
【０００３】
【発明が解決しようとする課題】
しかしながら、従来のものでは、開口部が水に濡れると、水の表面張力により開口部に水膜が形成されて音質に影響を与える。このため、水膜除去のために、開口部を構成している一箇所又は複数箇所の穴に息を吹きかけることが良く行われるが、従来の機器では、穴が一箇所の場合、息を吹きかける方向と、その開口部からの水の排出方向とが同一方向となるのでその排水性が良くない。また、穴が複数箇所の場合、空気（息）の流れ経路が定まらないので、全ての開口部から入った空気が流出するとは限らず、水膜や滞留している水が残留する場合がある。また、息を吹きかけて発生する空気の穴の部分における流速も安定しないため、確実に水が排水されるとは限らない。
【０００４】
さらには、水滴を付き難くするために、開口部の周辺に撥水性の高い塗料や部品を付けることが知られているが、耐久性が悪くなったりコストが高くなったりするなどの問題がある。
【０００５】
また、開口部に貼られている防水膜は、強度が弱く外部からの損傷に対する保護が必要である。
【０００６】
本発明は、上述した事情に鑑みてなされたものであり、携帯端末機等の音響用の開口部に付着した水膜の除去を容易に行うことができるようにするとともに防水膜の機械的保護を行うことができる音響用開口部の排水構造を提供することを目的とする。
【０００７】
【課題を解決するための手段】
上述した課題を解決するため、本発明は、音響用に開口された開口穴に、該開口穴から内部に水等が浸入することを防止するために防水膜が貼られた音響用開口部の排水構造において、前記開口穴と所定間隔をあけて対向する位置にカバー部が配設されており、該カバー部の上下又は左右に対向する２箇所に開口穴と連通する開口部がそれぞれ形成されていることを特徴とするものである。
【０００８】
また、本発明において、前記カバー部は、前記開口穴から所定間隔をあけて前記エンクロージャの表面よりも若干外方に突出した位置に開口穴とほぼ同じ大きさを有して配設されていることを特徴とするものである。
【０００９】
さらに、本発明において、前記カバー部の一端側に位置するエンクロージャの端部近傍を前記カバー部の表面よりも高くなるように隆起させ、他端側の前記エンクロージャの端部近傍を前記カバー部の表面とほぼ同じ高さとしたことを特徴とするものである。
【００１０】
また、本発明において、前記カバー部表面と、前記カバー部の一端側に位置するエンクロージャの表面を前記機器の内方へほぼ同一角度に傾斜させていることを特徴とするものである。
【００１１】
【発明の実施の形態】
以下、本発明の実施の形態を携帯端末機の音響用開口部の排水構造に例をとり図面を用いて説明する。
実施の形態１．
図１は実施の形態１の模式図である。
図１に示す実施の形態では、エンクロージャ１０に音響用の開口穴１２が開口されており、開口穴１２には、ここからエンクロージャ１０内部に水等が浸入することを防止するためにエンクロージャ１０の内部側から防水膜１４が貼られている。開口穴１２と対向する位置には、開口穴１２から所定間隔をあけてエンクロージャ１０の表面よりも若干外方に突出した位置（開口部外側）に開口穴１２とほぼ同じ大きさのカバー部１６が配設されており、カバー部１６及び開口穴１２の上下又は左右方向に対向する２箇所に、開口穴１２と連通する開口部１８及び２０がそれぞれ形成されている。
【００１２】
実施の形態１において開口穴１２とカバー部１６とをほぼ同じ大きさにする理由としては、排水性を良くするためには水膜のできる範囲を小さくする必要があり、開口穴１２よりカバー部１６のほうが大きい場合、水膜ができる範囲が広がり排水性に影響を及ぼすからである。また、防水膜１４を保護する為には、開口穴１２をカバー部１６で覆う必要があり、開口穴１２よりもカバー部１６の方が小さいと防水膜１４の保護機能が確保できなくなるからである。さらに、一般的にこの構造は一部品で形成するので、部品の制作上、ほぼ同じ大きさになるからである。
【００１３】
なお、実施の形態１においては、カバー部１６をエンクロージャ１０よりも若干外方に突出して配置しているため、排水性や防水膜１４の保護機能に優れる。
【００１４】
次に、実施の形態１の作用について説明する。
開口穴１２が水没し水で満たされてしまった場合、例えば、開口部１８から開口穴１２方向へ息を吹き込むことにより、図１中矢印２２に示すような気流が起こり、ベルヌーイの定理により開口穴１２に滞留した水が引き上げられ、開口部２０から排出される。これにより、開口穴１２から簡単に水を除去することができる。逆に開口部２０から息を吹き込んだ場合も同様に開口部１８から水が排出される。
【００１５】
また、カバー部１６は開口穴１２をほぼ完全に覆うように構成されているため、開口穴１２に直接物体が衝突するということが無いので、防水膜１４の保護機能も良い。
【００１６】
実施の形態２．
図２は実施の形態２の模式図である。
実施の形態２は、カバー部１６の上方に位置するエンクロージャ１０の端部を隆起させてカバー部１６よりも外方に位置するようにし、カバー部１６とこれよりも下方に位置するエンクロージャ１０とを同一面に配置するようにしたものであり、その他の構成は実施の形態１のものと同様である。
【００１７】
次に、実施の形態２の作用について説明する。
実施の形態１と同様に開口部１８から開口穴１２方向へ息を吹き込むことにより、開口穴１２に滞留した水が引き上げられ、開口部２０から排出される（逆に開口部２０から息を吹き込んだ場合は開口部１８から排出される）という作用が得られるとともに、少ない降雨の場合、エンクロージャ１０を隆起させたことで、図２中矢印２４に示されるような雨水の流れとなり、直接開口部１８及び２０に水滴がたれることが無いので、少ない降雨の場合は開口穴１２に水が溜まることは無い。
【００１８】
また、カバー部１６は、開口穴１２とほぼ同じ大きさであるため、防水膜１４の保護機能も良い。
【００１９】
実施の形態３．
図３に実施の形態３を示す模式図である。
実施の形態３は、カバー部１６の表面とカバー部１６の上方に位置するエンクロージャ１０の表面とを、下方へ行くほど機器の内部方向へ傾斜する同一面としたものであり、防水膜１４よりも内部にはマイクロフォン２６が配設されている。マイクロフォン２６はマイクロフォンホルダ２８によってエンクロージャ１０の内面に固定されており、その他の構成は実施の形態１のものと同様である。
【００２０】
次に、実施の形態３の作用について説明する。
実施の形態１と同様に開口部１８から開口穴１２方向へ息を吹き込むことにより、開口穴１２に滞留した水が引き上げられ、開口部２０から排出される（逆に開口部２０から息を吹き込んだ場合は開口部１８から排出される）という作用が得られる。また、カバー部１６の上方に位置するエンクロージャ１０がカバー部１６よりも外方へ位置するため、降雨などの際に、エンクロージャ１０を流れる水滴が、カバー部１６にかかり難くなっており、開口部１８及び２０に水滴が入り難いという効果がある。
【００２１】
また、カバー部１６は、開口穴１２とほぼ同じ大きさであるため、防水膜１４の保護機能も良い。
【００２２】
なお、本発明は前記第１、２及び３の実施の形態に限定されるものではなく、例えば、エンクロージャ１０とカバー部１６とを同一面に配置することもできる。この場合、開口穴１２からの排水性及び防水膜１４の保護機能も良いものとなる。
【００２３】
また、エンクロージャ１０よりもカバー部１６を内部側に配置することもできる。この場合、開口部１８又は２０に息を吹きかけて開口穴１２に滞留した水を除去するときに、気流の通りが悪くなる場合があり、確実性に欠ける場合があるが、降雨などの場合、カバー部１６よりもエンクロージャ１０の方が外方に突出しているため、開口部１８及び２０に水滴が入り難くなるというメリットがある。また、防水膜１４の保護機能も良い。
【００２４】
【発明の効果】
以上説明したように、本発明は、開口穴と所定間隔をあけて対向する位置にカバー部を配置し、カバー部の上下又は左右に対向する２箇所に開口穴と連通する開口部を設けることにより、空気の通路が確定されるので、一方の開口部から息を吹きかけるともう一方の開口部から全ての空気が出ることになるため、水膜や開口穴に滞留している水を確実に除去することができる。また、空気の通路が確定されることにより、開口部を通る空気の速度を安定化でき、水の除去が容易になる。したがって、水没などの使用環境下でもすぐに通話が可能な携帯端末を実現できる。
【００２５】
また、開口穴と対向する位置にカバー部を配置することにより、開口穴に直接物体が当たることがないので、防水膜の保護を行うことができる。
【図面の簡単な説明】
【図１】実施の形態１の模式図である。
【図２】実施の形態２の模式図である。
【図３】実施の形態３の模式図である。
【符号の説明】
１２  開口穴、１４  防水膜、１６  カバー部、１８、２０  開口部。
【図１】
2004312156.tif 000003
【図２】
2004312156.tif 000004
【図３】
2004312156.tif 000005